(57)【要約】  【課題】照明光を無駄にしないようにした撮影用照明装置およびカメラシステムを提供する。  【解決手段】照明装置をｎ個のＬＥＤで構成し、上下方向にＡ１列からＡ６列まで（ｎ／６）個ずつ並べて配設する（図４）。シャッタ幕が走行開始すると（ｔ０）、照明制御回路は、撮像素子の有効撮像領域上を走行するシャッタ幕の走行位置に合わせて以下のようにＬＥＤ群を点灯させる。Ａ１列〜Ａ６列のうち、シャッタ先幕の走行開始（ｔ０）以降に撮像素子の撮像面に到達するようになる被写体光束に対応する被写体に向けて照明光を発するＬＥＤ群を点灯させる。照明制御回路は、Ａ１列〜Ａ６列のうち、シャッタ後幕の走行開始（ｔ２）以降に撮像素子の撮像面に到達しなくなる被写体光束に対応する被写体を照明するＬＥＤ群を消灯させる。  【選択図】図９
2005338279.tif 000002
【特許請求の範囲】
【請求項１】
複数の発光体を有し、発光指示に応じて被写体へ照明光を発する照明手段と、
カメラのシャッタ先幕の走行に合わせて前記照明手段の発光体を点灯させるとともに、シャッタ後幕の走行に合わせて前記点灯させた発光体を消灯させる照明制御手段とを備えることを特徴とする撮影用照明装置。
【請求項２】
複数の発光体を有し、発光指示に応じて被写体へ照明光を発する照明手段と、
カメラのシャッタ先幕およびシャッタ後幕によって形成されるスリットの移動に合わせて、前記照明手段の発光体を点灯させる一方で前記点灯させた発光体を消灯させる照明制御手段とを備えることを特徴とする撮影用照明装置。
【請求項３】
請求項２に記載の撮影用照明装置において、
前記照明制御手段によって点灯されている発光体は、前記スリットを通過してカメラの感光部材上の露光領域に到達する被写体光束に対応する被写体を照明することを特徴とする撮影用照明装置。
【請求項４】
複数の発光ダイオードを発光体とし、発光指示に応じて被写体へ照明光を発する照明手段と、
カメラのシャッタ先幕の走行開始に合わせて前記発光ダイオードを点灯し、シャッタ後幕の走行終了まで前記点灯を継続するように前記発光ダイオードを制御する照明制御手段とを備えることを特徴とする撮影用照明装置。
【請求項５】
請求項４に記載の撮影用照明装置において、
前記照明制御手段は、前記シャッタ先幕の走行開始以降にカメラの感光部材上の露光領域に到達する被写体光束に対応する被写体に向けて照明光を発する発光ダイオードを順次点灯させ、前記シャッタ後幕の走行開始以降に前記感光部材上の露光領域に到達しなくなる被写体光束に対応する被写体を照明する発光ダイオードを順次消灯させることを特徴とする撮影用照明装置。
【請求項６】
請求項１〜請求項５のいずれか一項に記載の撮影用照明装置と、
フォーカルプレーンシャッタを備えるカメラとを有することを特徴とするカメラシステム。
【発明の詳細な説明】
【技術分野】
【０００１】
本発明は、撮影時に被写体を照明する照明装置に関する。
【背景技術】
【０００２】
キセノン放電管のような放電型照明装置と異なり、ＬＥＤを用いた照明装置で主要被写体を照明するカメラが知られている（特許文献１）。特許文献１に記載のカメラは、カメラのシャッタが開口している間にＬＥＤを発光する。
【０００３】
【特許文献１】特開２００２−２０７２３６号公報
【発明の開示】
【発明が解決しようとする課題】
【０００４】
特許文献１では、実際のシャッタの駆動タイミングとＬＥＤの発光タイミングとの関係が明らかにされていない。このため、たとえば、フォーカルプレーンシャッタに設定されるシャッタ秒時が高速でシャッタが全開しない場合（シャッタの先幕および後幕で形成されるスリットを介して露光が行われる場合）などは、以下の問題が考えられる。すなわち、ＬＥＤによって照明された被写体からの光束のうち、感光部材へ到達するのはスリットを通過する一部の光束だけであり、残りの光束はシャッタ幕で遮られてしまい、照明光が無駄になる。
【課題を解決するための手段】
【０００５】
請求項１に記載の発明による撮影用照明装置は、複数の発光体を有し、発光指示に応じて被写体へ照明光を発する照明手段と、カメラのシャッタ先幕の走行に合わせて照明手段の発光体を点灯させるとともに、シャッタ後幕の走行に合わせて点灯させた発光体を消灯させる照明制御手段とを備えることを特徴とする。
請求項２に記載の発明による撮影用照明装置は、複数の発光体を有し、発光指示に応じて被写体へ照明光を発する照明手段と、カメラのシャッタ先幕およびシャッタ後幕によって形成されるスリットの移動に合わせて、照明手段の発光体を点灯させる一方で点灯させた発光体を消灯させる照明制御手段とを備えることを特徴とする。
上記照明制御手段によって点灯されている発光体は、スリットを通過してカメラの感光部材上の露光領域に到達する被写体光束に対応する被写体を照明する。
請求項４に記載の発明による撮影用照明装置は、複数の発光ダイオードを発光体とし、発光指示に応じて被写体へ照明光を発する照明手段と、カメラのシャッタ先幕の走行開始に合わせて発光ダイオードを点灯し、シャッタ後幕の走行終了まで点灯を継続するように発光ダイオードを制御する照明制御手段とを備えることを特徴とする。
上記照明制御手段は、シャッタ先幕の走行開始以降にカメラの感光部材上の露光領域に到達する被写体光束に対応する被写体に向けて照明光を発する発光ダイオードを順次点灯させ、シャッタ後幕の走行開始以降に感光部材上の露光領域に到達しなくなる被写体光束に対応する被写体を照明する発光ダイオードを順次消灯させることもできる。
請求項６に記載の発明によるカメラシステムは、請求項１〜請求項５のいずれか一項に記載の撮影用照明装置と、フォーカルプレーンシャッタを備えるカメラとを有することを特徴とする。
【発明の効果】
【０００６】
本発明によれば、照明光を無駄にしないようにした撮影用照明装置およびカメラシステムを提供できる。
【発明を実施するための最良の形態】
【０００７】
以下、図面を参照して本発明を実施するための最良の形態について説明する。図１は、本発明の一実施の形態による電子カメラシステムを説明する図である。図１において、電子カメラ本体１０に交換可能な撮影レンズ２０が装着されている。また、電子カメラ１０のアクセサリシュー（不図示）に照明装置３０が装着されている。
【０００８】
図２は、図１の電子カメラシステムの要部構成を説明するブロック図である。図２において、照明装置３０はＬＥＤ（発光ダイオード）３２およびこの発光回路３１を含み、カメラ本体１０に装着される。照明装置３０は、アクセサリシューに設けられている不図示の通信用接点を介してカメラ本体１０側のＣＰＵと通信を行い、ＬＥＤ３２の発光開始や発光終了を指示するタイミング信号、発光量を指示する信号などを受信する。
【０００９】
カメラ本体１０のＣＰＵ１０１はＡＳＩＣなどによって構成される。ＣＰＵ１０１は、後述する各ブロックから出力される信号を入力して所定の演算を行い、演算結果に基づく制御信号を各ブロックへ出力する。
【００１０】
撮影レンズ２０を通過してカメラ本体１０に入射した被写体光束は、シャッタ（不図示）を介して撮像素子１２１へ導かれる。撮像素子１２１は、ＣＣＤイメージセンサなどによって構成される。撮像素子１２１は被写体光束による像を撮像し、撮像信号をＡ／Ｄ変換回路１２２へ出力する。Ａ／Ｄ変換回路１２２は、アナログ撮像信号をディジタル信号に変換する。
【００１１】
ＣＰＵ１０１は、ディジタル変換後の画像データにホワイトバランス処理などの画像処理を行う他、画像処理後の画像データを所定の形式で圧縮する圧縮処理、圧縮された画像データを伸長する伸長処理などを行う。記録媒体１２６は、電子カメラ本体１０に対して着脱可能なメモリカードなどによって構成される。記録媒体１２６には、画像処理後の画像データが記録される。
【００１２】
画像再生回路１２４は、非圧縮の画像データ（圧縮前の画像データもしくは伸長後の画像データ）を用いて再生表示用のデータを生成する。表示装置１２５は、たとえば、液晶表示モニタなどによって構成され、再生表示用データによる画像を表示する。
【００１３】
発光回路３１は、ＣＰＵ１０１からの発光指示に応じてＬＥＤ３２を点灯させる。図３は、ＬＥＤ３２および発光回路３１の構成例を示す図である。図３において、ＬＥＤ３２はｎ個の白色ＬＥＤ３２−１〜ＬＥＤ３２−ｎによって構成される。各ＬＥＤは、それぞれ個別に点灯および消灯が可能である。ＬＥＤ３２−１〜ＬＥＤ３２−ｎに対する発光開始や発光終了のタイミング、および各ＬＥＤから発する光量を指示する信号は、カメラ本体１０のＣＰＵ１０１から照明制御回路３３へ入力される。周知のように、ＬＥＤはその定格範囲において駆動電流および発光強度（光パワー）間に比例関係を有する電流制御型デバイスである。照明制御回路３３は、ＣＰＵ１０１からの指示内容に基づいて各ＬＥＤへ供給する電流値を決定し、この電流値の電流を指示されたタイミングでＬＥＤ３２−１〜ＬＥＤ３２−ｎへ供給するようにＬＥＤ駆動回路３４へ指令を送る。これにより、各ＬＥＤが発光／消灯するタイミングおよび各ＬＥＤから発する光量が制御される。
【００１４】
各ＬＥＤの発光強度と供給電流との関係は、あらかじめ実測結果がテーブル化され照明制御回路３３内の不揮発性メモリに格納されている。照明制御回路３３は、発光強度を引数として上記テーブルを参照して必要な供給電流を決定し、この電流値をＬＥＤ駆動回路３４へ指示する。ＬＥＤ駆動回路３４は、照明制御回路３３から送出される指令にしたがって電流を各ＬＥＤへ供給する。なお、電池Ｅは照明制御回路３３およびＬＥＤ駆動回路３４の電源である。
【００１５】
ｎ個のＬＥＤ３２−１〜ＬＥＤ３２−ｎは、図４に示すように配列されている。図４において、上下方向にＡ６列〜Ａ１列のＬＥＤ群が配設され、各列のＬＥＤ群はそれぞれ（ｎ／６）個のＬＥＤによって構成される。本実施形態では、ＬＥＤ３２の各列ごとに点灯および消灯のタイミングが制御される。たとえば、図５に示すように、Ａ１列およびＡ２列を構成するＬＥＤ群が点灯されるとともにＡ３列〜Ａ６列を構成するＬＥＤ群が消灯される。所定時間が経過すると、消灯されていた列を構成するＬＥＤ群が点灯される一方で、点灯中の列を構成するＬＥＤ群が消灯される。図６は、Ａ３列およびＡ４列を構成するＬＥＤ群が点灯され、Ａ１列、Ａ２列、Ａ５列およびＡ６列を構成するＬＥＤ群が消灯された状態を示す図である。
【００１６】
図７は、上述したように点灯制御されるＬＥＤ群によって照明される範囲を説明する図である。図７において、Ａ１列を構成するＬＥＤ群からの照明光は、照明装置３０に配設されているレンズ３５によって主要被写体の上部へ集光される。また、Ａ４列を構成するＬＥＤ群からの照明光は、レンズ３５によって主要被写体の上下方向における中央部へ集光される。さらにまた、Ａ６列を構成するＬＥＤ群からの照明光は、レンズ３５によって主要被写体の下部へ集光される。同様に、Ａ２列、Ａ３列、およびＡ５列を構成する各ＬＥＤ群からの照明光は、それぞれ上述したＡ１列、Ａ４列、およびＡ６列を構成するＬＥＤ群による照明範囲を補間するように、レンズ３５によって主要被写体上の異なる位置へ集光される。このように、Ａ６列〜Ａ１列の各列を構成するＬＥＤ群は、主要被写体上のそれぞれ異なる範囲を照明する。なお、水平方向については、各列を構成する（ｎ／６）個のＬＥＤによって照明光がムラ無く配光されるように構成されている。
【００１７】
本発明は、上記の照明装置３０のＬＥＤ３２−１〜ＬＥＤ３２−ｎに対する点灯／消灯タイミングに特徴を有する。
【００１８】
図８は、図７の主要被写体と、撮像素子１２１の撮像面上に結像される被写体像との対応を説明する図である。図８において、撮像素子１２１の撮像面側にフォーカルプレーンシャッタ５０が配設されている。撮影レンズ２０を通過した被写体光束は、シャッタ５０を介して撮像素子１２１の撮像面に到達する。主要被写体の上部からの光束による像は、撮影レンズ２０によって撮像素子１２１における有効撮像領域の下部に結像される。また、主要被写体の上下方向における中央部からの光束による像は、撮影レンズ２０によって有効撮像領域の中央に結像される。さらに、主要被写体の下部からの光束による像は、撮影レンズ２０によって有効撮像領域の上部に結像される。
【００１９】
シャッタ５０は不図示の先幕および後幕を有する。シャッタ先幕およびシャッタ後幕のそれぞれは、たとえば、撮影指示に応じて図８の下から上へ走行するように構成されている。この場合には、シャッタ先幕が下から上へ走行することによって開口（不図示）が開き、シャッタ後幕が下から上へ走行することによって開口（不図示）が閉じる。したがって、開口を通過して撮像素子１２１の撮像面に到達する光束は、シャッタ幕の走行位置によって変化する。
【００２０】
シャッタ５０の先幕および後幕の駆動は、不図示の撮影シーケンス機構によって行われる。撮影シーケンス機構は、ＣＰＵ１０１からの撮影シーケンス開始指示に応じてシャッタ駆動を含むシーケンス動作を行う。シャッタ５０の先幕および後幕は、たとえば、電磁ソレノイドによって所定速度で走行駆動される。
【００２１】
照明制御回路３３は、撮像素子１２１の有効撮像領域上を走行するシャッタ幕の走行位置に合わせてＬＥＤ群を点灯させる。具体的には、ＣＰＵ１０１が撮影シーケンス機構に対する撮影シーケンス開始指示の送出と、照明制御回路３３に対する点灯指示の送出とをあらかじめ定められている所定のタイミングで行うことにより、シャッタ幕の走行位置とＬＥＤ群の点灯／消灯タイミングとに以下の関係を持たせる。
【００２２】
図９は、シャッタ５０におけるシャッタ幕の位置と、照明装置３０におけるＡ６列〜Ａ１列の各列のＬＥＤ群の点灯タイミングとの関係を説明する図である。図９において、シャッタ幕位置を示すシャッタ幕走行直線の下に、ＬＥＤ群の点灯タイミングが記されている。
【００２３】
シャッタ幕走行直線の横軸は時間を表す。シャッタ幕走行直線の縦軸はシャッタ幕の走行位置を表わす。シャッタ先幕およびシャッタ後幕が走行する向きは、それぞれ上述したように開口（不図示）の下部から上部へ向かう向きである。実線による走行直線はシャッタ先幕の走行直線を表し、破線による走行直線はシャッタ後幕の走行直線を表す。Ａ１列〜Ａ６列に対応する各ＬＥＤ群の点灯および消灯タイミングは、太線が点灯状態を表し、細線が消灯状態を表す。太線が示す点灯期間においては、対応するＬＥＤ群が一定強度の照明光を連続して発するようにＬＥＤ駆動回路３４が各ＬＥＤへ電流を供給する。
【００２４】
タイミングｔ０において、シャッタ先幕が開口（不図示）を開放する向きに走行を開始し、タイミングｔ１において走行を終了する。タイミングｔ２において、シャッタ後幕が開口（不図示）を閉鎖する向き走行を開始し、タイミングｔ３において走行を終了する。図９は、シャッタの全開時間がとれる場合を例示する図であり、シャッタ先幕の開放走行が終了したタイミングｔ１から、シャッタ後幕の閉鎖走行が開始するタイミングｔ２までがシャッタの全開時間である。
【００２５】
照明装置３０の中で最初に点灯されるＬＥＤ群（本実施形態ではＡ１列）は、タイミングｔ０で点灯され、タイミングｔ２ａで消灯される。タイミングｔ２ａは、タイミングｔ２にて閉鎖走行を開始したシャッタ後幕が開口の１／６を閉鎖する（つまり、撮像素子１２１上の有効撮像領域の下側１／６が遮光される）タイミングである。
【００２６】
Ａ２列に対応するＬＥＤ群は、タイミングｔ０にて開放走行を開始したシャッタ先幕が開口の１／６を開放する（つまり、撮像素子１２１上の有効撮像領域の下側１／６が露光される）タイミングで点灯される。このＬＥＤ群（Ａ２列）は、閉鎖走行を開始したシャッタ後幕が開口の２／６を閉鎖する（つまり、撮像素子１２１上の有効撮像領域の下側２／６が遮光される）タイミングで消灯される。
【００２７】
以降同様に、シャッタ先幕が開口の１／６を走行するごとに点灯中のＬＥＤ列より上に位置するＬＥＤ群がさらに点灯され、シャッタ後幕が開口の１／６を閉鎖するごとに点灯中のＬＥＤ列のうち最も早く点灯されていたＬＥＤ列が消灯される。
【００２８】
最後に点灯されるＬＥＤ群（本実施形態ではＡ６列）は、シャッタ先幕が開口の５／６を開放する（つまり、撮像素子１２１上の有効撮像領域の下側５／６が露光される）タイミングｔ１ｂで点灯される。このＬＥＤ群（Ａ６列）は、シャッタ後幕が開口全体（６／６）を閉鎖する（つまり、撮像素子１２１上の有効撮像領域全域が遮光される）タイミングｔ３で消灯される。
【００２９】
図９によれば、照明装置３０のＬＥＤ群のうち、シャッタ先幕の走行によって撮像素子１２１の撮像面に到達するようになる被写体光束に対応する被写体に向けて照明光を発するＬＥＤ群が点灯される。シャッタ先幕の走行にともなって撮像領域上の開放範囲は順次広がるので、ＬＥＤ列は順次点灯が開始される。一方、シャッタ後幕の走行によって撮像素子１２１の撮像面に到達しなくなる被写体光束に対応する被写体を照明するＬＥＤ群は消灯される（すなわち、シャッタ幕で遮光される被写体光束に対応する被写体は照明しない）。シャッタ後幕の走行にともなって遮光範囲は順次広がるので、ＬＥＤ列は順次消灯される。
【００３０】
図１０は、シャッタの全開時間がとれない場合のシャッタ５０におけるシャッタ幕の位置と、照明装置３０における各列のＬＥＤ群の点灯タイミングとの関係を説明する図である。この場合は、シャッタ先幕とシャッタ後幕とで形成されるスリットを介して撮像素子１２１の露光が行われる。
【００３１】
図１０において、シャッタ後幕が閉鎖走行を開始するタイミングｔ２が、シャッタ先幕による開放走行が終了するタイミングｔ１より前である点が図９と異なる。図１０のタイミングｔ０において、シャッタ先幕が開口（不図示）を開放する向きに走行を開始し、タイミングｔ１において走行を終了する。タイミングｔ１より前のタイミングｔ２において、シャッタ後幕が開口（不図示）を閉鎖する向き走行を開始し、タイミングｔ３において走行を終了する。
【００３２】
照明装置３０の中で最初に点灯されるＬＥＤ群（本実施形態ではＡ１列）は、タイミングｔ０で点灯され、タイミングｔ２ａで消灯される。タイミングｔ２ａは、図９の場合と同様に、シャッタ後幕が開口の１／６を閉鎖するタイミングである。
【００３３】
Ａ２列に対応するＬＥＤ群は、シャッタ先幕が開口の１／６を開放するタイミングで点灯され、シャッタ後幕が開口の２／６を閉鎖するタイミングで消灯される。
【００３４】
以降同様に、シャッタ先幕が開口の１／６を走行するごとに点灯中のＬＥＤ列より上に位置するＬＥＤ群がさらに点灯され、シャッタ後幕が開口の１／６を閉鎖するごとに点灯中のＬＥＤ列のうち最も早く点灯されていたＬＥＤ列が消灯される。
【００３５】
最後に点灯されるＬＥＤ群（本実施形態ではＡ６列）は、シャッタ先幕が開口の５／６を開放するタイミングｔ１ｂで点灯され、シャッタ後幕が開口全体（６／６）を閉鎖するタイミングｔ３で消灯される。
【００３６】
図１０によれば、露光時間（先幕が走行開始されるタイミングｔ０から後幕が走行終了するタイミングｔ３までの時間）内にＡ１列〜Ａ６列の全列が点灯する期間がなく、各列を構成するＬＥＤ群がタイミングをずらして照明光を発する。各ＬＥＤ列が点灯される期間は、シャッタ幕で形成されるスリットを通して撮像素子１２１が露光される時間に対応する。
【００３７】
以上説明した実施の形態についてまとめる。
（１）照明装置３０をｎ個のＬＥＤで構成し、上下方向にＡ１列からＡ６列まで（ｎ／６）個ずつ並べて配設する。なお、上下方向は、シャッタ幕が走行する方向と合致させたものである。ＬＥＤは、一定の電流を供給すれば一定強度の照明光が得られる上に、消費電力も少ない。したがって、キセノン放電管を用いた放電型照明装置で行われるｆｐ発光と異なり、一定強度の照明光を連続して照射することができ、放電発光のための充電回路が不要なので照明装置を小型にできる。
【００３８】
（２）シャッタ幕が走行開始すると、照明制御回路３３は、撮像素子１２１の有効撮像領域上を走行するシャッタ幕の走行位置に合わせて以下のようにＬＥＤ群を点灯させる。すなわち、Ａ１列〜Ａ６列のうち、シャッタ先幕の走行によって撮像素子１２１の撮像面に到達するようになる被写体光束に対応する被写体に向けて照明光を発するＬＥＤ群を点灯させる。シャッタ先幕の走行にともなって撮像領域上の開放範囲は順次広がるので、Ａ１列のＬＥＤ群から順に点灯を開始させる。したがって、シャッタ先幕で遮光される被写体光束に対応する被写体は照明しないので、無駄な照明光の発光を抑えるとともに、消費電力の低減にもつながる。
【００３９】
（３）照明制御回路３３は、Ａ１列〜Ａ６列のうち、シャッタ後幕の走行によって撮像素子１２１の撮像面に到達しなくなる被写体光束に対応する被写体を照明するＬＥＤ群を消灯させる。シャッタ後幕の走行にともなって撮像領域上の遮光範囲は順次広がるので、Ａ１列のＬＥＤ群から順に消灯させる。したがって、シャッタ後幕で遮光される被写体光束に対応する被写体を照明しないので、無駄な照明光の発光を抑えるとともに、消費電力の低減にもつながる。
【００４０】
上述した照明装置３０におけるＬＥＤ群の点灯／消灯は、シャッタ幕の走行方向に合わせて上下方向に順次行うようにした。シャッタ幕が走行する方向が水平方向であれば、水平方向に順次点灯および消灯させるように構成すればよい。
【００４１】
また、ＬＥＤ群の列数は必ずしも６列でなくてもよく、１列当たりの照明範囲に応じて適宜変更してよい。この場合、隣接する列を構成するＬＥＤ群（たとえば、Ａ１列を構成するＬＥＤ群とＡ２列を構成するＬＥＤ群）による照明範囲間に照明されない領域が生じないようにする。
【００４２】
列を構成する水平方向のＬＥＤの数（上記の例ではｎ／６）は、ＬＥＤ１つ当たりの照明範囲に応じて適宜変更してよい。この場合、照明光を水平方向に拡散するレンズを設けると、水平方向の照明ムラが抑えられるので水平方向に配設するＬＥＤの数を低減できる。
【００４３】
ＬＥＤで消費される電力が少ないことから、露光時間（先幕が走行開始されるタイミングｔ０から後幕が走行終了するタイミングｔ３までの時間）内にＡ１列〜Ａ６列の全列を点灯させるようにしてもよい。図１１は、この場合のシャッタ５０におけるシャッタ幕の位置と、照明装置３０における各列のＬＥＤ群の点灯タイミングとの関係を説明する図である。露光時間内において、各列のＬＥＤ群を一定の発光強度で連続して発光させることができる。全ＬＥＤを同時に発光開始（点灯）させ、同時に発光終了（消灯）させるので、タイミング制御が容易である。
【００４４】
以上の説明では、外付けタイプの照明装置３０を例にあげて説明したが、照明装置をカメラ本体に内蔵させるようにしてもよい。
【００４５】
ＬＥＤ３２−１〜ＬＥＤ３２−ｎを白色ＬＥＤで構成する例を説明したが、赤色ＬＥＤ、緑色ＬＥＤ、および青色ＬＥＤによって構成し、これらのＬＥＤによる照明光を混色して被写体を照明するようにしてもよい。
【００４６】
特許請求の範囲における各構成要素と、発明を実施するための最良の形態における各構成要素との対応について説明する。発光体は、たとえば、ＬＥＤ３２−１〜３２−ｎによって構成される。照明手段は、たとえば、照明装置３０によって構成される。照明制御手段は、たとえば、照明制御回路３３によって構成される。感光部材は、たとえば、撮像素子１２１によって構成される。なお、本発明の特徴的な機能を損なわない限り、各構成要素は上記構成に限定されるものではない。
【図面の簡単な説明】
【００４７】
【図１】本発明の一実施の形態による電子カメラシステムを説明する図である。
【図２】電子カメラシステムの要部構成を説明するブロック図である。
【図３】ＬＥＤおよび発光回路の構成例を示す図である。
【図４】ＬＥＤ群の配列を説明する図である。
【図５】ＬＥＤ列ごとに点灯および消灯する例を示す図である。
【図６】ＬＥＤ列ごとに点灯および消灯する例を示す図である。
【図７】ＬＥＤ群によって照明される範囲を説明する図である。
【図８】主要被写体と被写体像との対応を説明する図である
【図９】シャッタ幕の位置とＬＥＤ群の点灯タイミングとの関係を説明する図である。
【図１０】シャッタ幕の位置とＬＥＤ群の点灯タイミングとの関係を説明する図である。
【図１１】シャッタ幕の位置とＬＥＤ群の点灯タイミングとの関係を説明する図である。
【符号の説明】
【００４８】
１０…電子カメラ本体
２０…撮影レンズ
３０…照明装置
３１…発光回路
３２−１〜３２−ｎ…ＬＥＤ
３３…照明制御回路
３４…ＬＥＤ駆動回路
１０１…ＣＰＵ
１０７…操作部材
１２１……撮像素子
【図１】
2005338279.tif 000003
【図２】
2005338279.tif 000004
【図３】
2005338279.tif 000005
【図４】
2005338279.tif 000006
【図５】
2005338279.tif 000007
【図６】
2005338279.tif 000008
【図７】
2005338279.tif 000009
【図８】
2005338279.tif 000010
【図９】
2005338279.tif 000011
【図１０】
2005338279.tif 000012
【図１１】
2005338279.tif 000013